(57)【要約】【課題】効率的にかつ確実に受信ユーザに文書を送信することができ、信頼性の高い印刷システムを提供する。【解決手段】送信ユーザの依頼を受けたクライアントＰＣは、ＰＨＳ検出システムを利用して受信ユーザ位置を検索し、即ち受信ユーザと送受信可能な基地局１−４或いは１−６を検索し、この検索結果により、受信ユーザに最も近い位置に有るプリンタ１−９或いは１−１２を検索し、受信ユーザに送信文書があることと近くにあるプリンタとを通知し、有線ネットワーク１−１、１−８、１−１５を介し文書を送信し印刷することにより、受信ユーザに文書を送信する。【選択図】　　　図１
2004021860.tif 000002
【特許請求の範囲】
【請求項１】
無線送受信装置および記憶装置を備え、かつ有線ネットワークに接続されているプリンタと、該プリンタと無線通信可能な無線送受信装置を備えていて位置検出が可能な携帯電話網に接続可能な携帯情報端末と、優先ネットワークと、有線ネットワークに接続されているクライアントＰＣと、位置検出が可能な携帯電話網とにより構成されるシステムにおいて、文書データを送信する送信ユーザから文書印刷命令を受けたクライアントＰＣは、文書データを受信する受信ユーザの位置を検索し、検索の結果より、受信ユーザに最も近い位置にあるプリンタを検出し、検出された該プリンタに有線ネットワークを介して文書データを送信し印刷することを特徴とするネットワーク印刷システム。
【請求項２】
請求項１に記載のネットワーク印刷システムにおいて、前記携帯情報端末としてＰＨＳ端末を使用し、前記携帯電話網としてＰＨＳ網を使用することを特徴とするネットワーク印刷システム。
【請求項３】
請求項１に記載のネットワーク印刷システムにおいて、前記プリンタと前記携帯情報端末との間で無線通信する無線送受信機として、ブルートゥース規格を満たしたブルートゥース無線送受信機を使用することを特徴とするネットワーク印刷システム。
【請求項４】
請求項１に記載のネットワーク印刷システムにおいて、前記受信ユーザに最も近いプリンタを検出する手段として、前記クライアントＰＣは、はじめに、ＰＨＳ網を利用した位置検索手段によりＰＨＳの基地局の通信可能範囲レベルでの受信ユーザの位置を検索し、検索の結果、受信ユーザの位置を検出できたら、次に、この検出されたＰＨＳ基地局の範囲内に存在するプリンタに関して、各々のプリンタに接続されたブルートゥース無線送受信機を利用して受信ユーザの位置検索を行い、ブルートゥース無線送受信機により通信可能な範囲内に受信ユーザが存在すれば、そのブルートゥース無線送受信機に接続されたプリンタを、受信ユーザに最も近いプリンタとすることを特徴とするネットワーク印刷システム。
【請求項５】
請求項１に記載のネットワーク印刷システムにおいて、前記クライアントＰＣが、前記受信ユーザに最も近い位置にあるプリンタに印刷開始させる前に、クライアントＰＣは携帯電話網および携帯情報端末を介して受信ユーザに対して印刷を行うか否かの判断を伺う通知をし、受信ユーザが印刷を希望する場合は、受信ユーザは携帯電話網および携帯情報端末を介してクライアントＰＣに印刷希望の旨を通知し、印刷希望の通知を受けたクライアントＰＣは、該プリンタに対して有線ネットワークを介して文書データを送信して印刷を開始し、受信ユーザが印刷を希望しない場合は、受信ユーザは携帯電話網および携帯情報端末を介してクライアントＰＣに印刷中止希望の旨を通知し、印刷中止希望の通知を受けたクライアントＰＣは印刷を中止することを特徴とするネットワーク印刷システム。
【請求項６】
請求項５に記載のネットワーク印刷システムにおいて、前記クライアントＰＣが前記受信ユーザの印刷希望通知に従って文書印刷を実行した場合はクライアントＰＣは印刷が終了した時点で送信ユーザに対して文書印刷終了の旨を通知し、クライアントＰＣが受信ユーザの印刷中止希望通知に従って文書印刷を中止した場合はクライアントＰＣは印刷中止の旨を送信ユーザに通知することを特徴とするネットワーク印刷システム。
【請求項７】
請求項１に記載のネットワーク印刷システムにおいて、前記クライアントＰＣが前記受信ユーザの位置情報を検索した結果、受信ユーザに近いプリンタが複数台ある場合は、クライアントＰＣは近隣プリンタ情報を携帯電話網および携帯情報端末を介して文書を受信する受信ユーザに通知し、一方通知された受信ユーザは自分にとって最適なプリンタを選択し、選択結果を携帯電話網および携帯情報端末を介してクライアントＰＣに通知し、通知を受けたクライアントＰＣは受信ユーザが選択したプリンタに対して有線ネットワークを介して文書データを送信して印刷開始することを特徴とするネットワーク印刷システム。
【発明の詳細な説明】
【０００１】
【発明の属する技術分野】
本発明は、印刷システム、特に携帯情報端末を利用した文書配信および文書印刷方式に関するもので、携帯情報端末を利用した印刷システム全般に簡易に応用可能な技術に関する。
【０００２】
【従来の技術】
電子メイルの普及以前では、他人に文書を渡す方法として、ＦＡＸ、郵送、あるいはフロッピー（登録商標）等のメディアを利用して渡す等していたのに対して、電子メイルの普及以後においては、メイルに文書を添付して送信することにより文書を配布する機会が増えている。
また、ＰＤＡ（Ｐｅｒｓｏｎａｌ　Ｄｉｇｉｔａｌ　Ａｓｓｉｓｔａｎｔ）等のメイルを送受信できる携帯情報端末も普及し、これにより移動中のユーザに対してもメイルにより文書を送信することができるようになり、モバイルコンピューティングの利便性はますます高くなっている。
【０００３】
【発明が解決しようとする課題】
しかしながら、この反面、いくつか問題点も浮上してきている。
第一に、文書の送信は、メイルの送受信が可能な携帯情報端末を所持しているユーザのみに限定されるという問題点である。また、例えば携帯電話やＰＨＳのような携帯情報端末でもメイルの送受信ができるが、一般の文書作成用のアプリケーションソフトで作成した文書については、表示データ量に限界があるこれらの携帯情報端末では全てを見ることができないか、あるいは仮に見ることができても携帯電話のような小さな画面を介しては非常に見にくいという問題がある。第二の問題として、受信した文書を印刷したい場合の手続のわずらわしさがあげられる。例えば、携帯情報端末で受信した文書を印刷したい場合は、ユーザは携帯情報端末を、プリンタ、あるいはプリンタが接続されたネットワークに何らかの方法で接続しなければならず、かつ携帯情報端末側で使用するプリンタの設定をしなければならないというわずらわしさがある。
本発明は、上記２つの問題を解決すべく、他人に文書を渡す手段として電子メイルを使用するのではなく、文書を送信したい人に最も近いプリンタに渡したい文書を出力することにより、文書の送信を実現する手段を提供すべくなしたものである。
これにより、文書を受信するユーザが受信文書を印刷可能な携帯情報端末を所持していなくても、携帯電話のみ所有していれば文書の送信が可能になる。
また、前記手段はＦＡＸにより文書を送信する手段と似ているが、ＦＡＸと異なる点は、例えば、文書を受信する受信ユーザが外出中で、現在の正確な所在地がわからなくても、本発明のシステムにより受信ユーザの現在の所在地を正確に検出し、受信ユーザに最も近いプリンタで文書を印刷し、その旨を携帯電話を介して受信ユーザに通知することにより受信ユーザに文書を送信することができるという点である。
【０００４】
【課題を解決するための手段】
上記課題を解決するため、請求項１の発明は、無線送受信装置および記憶装置を備え、かつ有線ネットワークに接続されているプリンタと、該プリンタと無線通信可能な無線送受信装置を備えていて位置検出が可能な携帯電話網に接続可能な携帯情報端末と、優先ネットワークと、有線ネットワークに接続されているクライアントＰＣと、位置検出が可能な携帯電話網とにより構成されるシステムにおいて、文書データを送信する送信ユーザから文書印刷命令を受けたクライアントＰＣは、文書データを受信する受信ユーザの位置を検索し、検索の結果より、受信ユーザに最も近い位置にあるプリンタを検出し、検出された該プリンタに有線ネットワークを介して文書データを送信し印刷することを特徴とする。
請求項２の発明は、請求項１に記載のネットワーク印刷システムにおいて、前記携帯情報端末としてＰＨＳ端末を使用し、前記携帯電話網としてＰＨＳ網を使用することを特徴とする。
請求項３の発明は、請求項１に記載のネットワーク印刷システムにおいて、前記プリンタと前記携帯情報端末との間で無線通信する無線送受信機として、ブルートゥース規格を満たしたブルートゥース無線送受信機を使用することを特徴とする。
請求項４の発明は、請求項１に記載のネットワーク印刷システムにおいて、前記受信ユーザに最も近いプリンタを検出する手段として、前記クライアントＰＣは、はじめに、ＰＨＳ網を利用した位置検索手段によりＰＨＳの基地局の通信可能範囲レベルでの受信ユーザの位置を検索し、検索の結果、受信ユーザの位置を検出できたら、次に、この検出されたＰＨＳ基地局の範囲内に存在するプリンタに関して、各々のプリンタに接続されたブルートゥース無線送受信機を利用して受信ユーザの位置検索を行い、ブルートゥース無線送受信機により通信可能な範囲内に受信ユーザが存在すれば、そのブルートゥース無線送受信機に接続されたプリンタを、受信ユーザに最も近いプリンタとすることを特徴とする。
【０００５】
請求項５の発明は、請求項１に記載のネットワーク印刷システムにおいて、前記クライアントＰＣが、前記受信ユーザに最も近い位置にあるプリンタに印刷開始させる前に、クライアントＰＣは携帯電話網および携帯情報端末を介して受信ユーザに対して印刷を行うか否かの判断を伺う通知をし、受信ユーザが印刷を希望する場合は、受信ユーザは携帯電話網および携帯情報端末を介してクライアントＰＣに印刷希望の旨を通知し、印刷希望の通知を受けたクライアントＰＣは、該プリンタに対して有線ネットワークを介して文書データを送信して印刷を開始し、受信ユーザが印刷を希望しない場合は、受信ユーザは携帯電話網および携帯情報端末を介してクライアントＰＣに印刷中止希望の旨を通知し、印刷中止希望の通知を受けたクライアントＰＣは印刷を中止することを特徴とする。
請求項６の発明は、請求項５に記載のネットワーク印刷システムにおいて、前記クライアントＰＣが前記受信ユーザの印刷希望通知に従って文書印刷を実行した場合はクライアントＰＣは印刷が終了した時点で送信ユーザに対して文書印刷終了の旨を通知し、クライアントＰＣが受信ユーザの印刷中止希望通知に従って文書印刷を中止した場合はクライアントＰＣは印刷中止の旨を送信ユーザに通知することを特徴とする。
請求項７の発明は、請求項１に記載のネットワーク印刷システムにおいて、前記クライアントＰＣが前記受信ユーザの位置情報を検索した結果、受信ユーザに近いプリンタが複数台ある場合は、クライアントＰＣは近隣プリンタ情報を携帯電話網および携帯情報端末を介して文書を受信する受信ユーザに通知し、一方通知された受信ユーザは自分にとって最適なプリンタを選択し、選択結果を携帯電話網および携帯情報端末を介してクライアントＰＣに通知し、通知を受けたクライアントＰＣは受信ユーザが選択したプリンタに対して有線ネットワークを介して文書データを送信して印刷開始することを特徴とする。
【０００６】
【発明の実施の形態】
以下、図面により本発明の実施の形態を詳細に説明する。図１は本発明のネットワーク印刷システムの全体構成図を示す説明図である。
図中１−１は例えばある会社のある事業所Ａ内の有線ネットワークであり、１−２は有線ネットワーク１−１に接続されたクライアントＰＣ（Ｐｅｒｓｏｎａｌ　Ｃｏｍｐｕｔｅｒ）であってユーザはこのクライアントＰＣ１−２から、他のユーザに対して文書を送信するものであり、１−３はインターネットである。
１−４および１−６は携帯電話網の基地局であり、例えば、ＰＨＳの基地局等であり、１−５は既存の携帯電話網の位置検出システムであり、例えば、既にサービスが開始されているＰＨＳの位置検出システム等であり、１−７は携帯電話網の基地局１−６の通信可能エリアである。
１−８は通信可能エリア１−７内に存在する有線ネットワークであり、この有線ネットワーク１−８は有線ネットワーク１−１と有線ネットワーク１−１５で接続されており、例えば有線ネットワーク１−１を使用している会社の事業所Ｂ内の有線ネットワークとなる。
１−９、１−１２は有線ネットワーク１−８に接続されたネットワークプリンタであり、記憶装置を備えているものである。
１−１０はネットワークプリンタ１−９に接続されていて携帯情報端末（文書を受信するユーザが携帯している携帯情報端末であり、例えばブルートゥース無線送受信機付きＰＨＳ端末等が該当するものである。）１−１４と通信可能な無線送受信機であり、例えばブルートゥース（Ｂｌｕｅｔｏｏｔｈ）規格に準拠した無線送受信機等が該当するものである。１−１１は無線送受信機１−１０の通信可能エリアであり、１−１３はネットワークプリンタ１−１２に接続された無線送受信機である。
【０００７】
図２は図１に示すクライアントＰＣ１−２におけるシステムブロック図である。図中２−１はユーザインターフェース（Ｉ／Ｆ）であり、送信ユーザとクライアントＰＣ１−２とのインターフェースとなるものである。２−２は有線ネットワークインターフェースであり、この有線ネットワークインターフェース２−２はクライアントＰＣ１−２が送信文書の印刷データを送信する際に用いられるものであり、例えば、インターネットに接続された社内ＬＡＮ用のネットワークインターフェース等が該当する。
２−３はＰＨＳ位置検出サービスインターフェースであり、クライアントＰＣ１−２がＰＨＳ位置検出サービスを利用するときに使用するインターフェースである。この部分は、例えばＩＳＤＮやネットワークインターフェース等が該当する。ＰＨＳ位置検出サービスを有線ネットワーク経由で利用することも可能である。この場合は、有線ネットワークインターフェース２−２とＰＨＳ位置検出サービスインターフェース２−３は同一となる。
２−４は受信ユーザ情報記憶部であり、この受信ユーザ情報記憶部２−４は、送信ユーザがユーザインターフェース２−１を介して受信ユーザ情報を入力した際にこの入力情報を記憶する部分である。２−５は受信ユーザ位置事業所レベル判定部であり、ＰＨＳ位置検出サービスの結果から受信ユーザの位置が検出できたら、そのユーザがどの事業所あるいはフロアにいるかを判定する部分である。２−６はＰＨＳ基地局対応テーブルであり、ＰＨＳ基地局と事業所あるいはフロアの情報に対応するものである。
２−７は、受信ユーザ位置プリンタレベル検索部であって、受信ユーザの事業所レベルでの位置検出が終わったら、その事業所においてどのプリンタの近くに受信ユーザが存在するかを検索する部分である。２−８は使用プリンタ判定部であり、この使用プリンタ判定部２−８は受信ユーザ位置プリンタレベル検索部２−７の結果を使用して最終的に出力するプリンタを決定する部分であり、つまりこの部分により決定されたプリンタが受信ユーザに最も近いプリンタとなる。２−９は印刷命令実行部であって使用プリンタ判定部２−８で決定されたプリンタに対して印刷処理を行うとともに、印刷状態をユーザインターフェイス２−１を介して送信ユーザに通知する部分である。
【０００８】
以下、本発明の実施の形態例による文書送信について図３〜図５を参照しつつ具体的に説明する。図３はＰＨＳ基地局対応テーブルにおける事業所と基地局との関連を示す説明図であり、図４はＰＨＳ端末情報例を示す説明図であり、図５は本発明のネットワーク印刷システムを使用して、あるユーザが他のユーザに対して文書を送信するときの手順を示すフローチャートである。
文書を送信するユーザ（以下、送信ユーザとする）が、他のユーザ（以下、受信ユーザとする）に対して文書の送信を試みる場合は（印刷処理ステップ５−０）、はじめに、送信ユーザはクライアントＰＣ１−２に対して、ユーザインターフェース２−１を介して文書を受信する受信ユーザ情報を入力し、次に文書送信命令を実行する（印刷データ送信命令ステップ５−１）。受信ユーザ情報は受信ユーザが常時携帯しているＰＨＳ端末番号（電話番号）等が該当する。クライアントＰＣ１−２側では入力された受信ユーザ情報は受信ユーザ情報記憶部２−４に記憶される。
文書送信命令を受けたクライアントＰＣ１−２は、受信ユーザ情報記憶部２−４に記憶された受信ユーザ情報を用いてＰＨＳ位置検出サービスインターフェース２−３を介してＰＨＳ位置検出サービスを実行し、事業所あるいは事業所におけるフロアレベル（基地局レベル）での受信ユーザの位置検出を行う（受信ユーザ検索ステップ５−２）。この検出方法には、ＰＨＳ位置検出サービスがＰＨＳ端末を検索する場合、検索するＰＨＳ端末と通信可能なＰＨＳ基地局を検索するという特徴を利用する。
具体的には、あらかじめ事業所とＰＨＳ基地局の位置関係を示したＰＨＳ基地局対応テーブル２−６の対応情報をクライアントＰＣ１−２内の受信ユーザ位置事業所レベル判定部２−５に保持しておく。図３が対応テーブルに該当する。ＰＨＳ位置検出サービスの検出の結果、検出された基地局が、そのＰＨＳ基地局対応テーブル２−６の対応情報範囲内にあれば、そのＰＨＳ基地局に対応する事業所あるいはフロアが受信ユーザのおおよその現在位置となる。例えば、ＰＨＳ位置検出サービスの検出結果として基地局Ｂが検出されたとすると（受信ユーザ検索確認ステップ５−２Ａ）、図３におけるＰＨＳ基地局対応テーブル２−６の対応情報を使用すると受信ユーザは事業所Ｂの１階あるいは２階に存在するという結果となる。
このように受信ユーザの位置検出を実現する携帯電話網として通信エリアの広いＰＨＳ網を利用するので、システム構築が容易となり、信頼性が高まる。
受信ユーザが見つからない場合には、受信ユーザが見つからない旨の通知ステップ５−２Ｂからその通知を印刷中止ステップ５−９に伝達する。
【０００９】
次にクライアントＰＣ１−２は事業所あるいはフロアレベルでの受信ユーザの位置情報を使用して、ブルートゥースレベルでの受信ユーザの位置検出を行う（受信ユーザ検索ステップ５−３）。この検出方法には、ブルートゥース規格に準拠した無線送受信機の通信可能エリアは１０ｍ〜１００ｍであるという特徴を利用する。
具体的には、クライアントＰＣ１−２における受信ユーザ位置プリンタレベル検索部２−７は、クライアントＰＣ１−２を介して受信ユーザ位置事業所レベル判定部２−５の判定結果に属する事業所あるいはフロアに存在する全てのブルートゥース無線送受信機付きのプリンタに対して、各々現在の通信可能エリアに存在するブルートゥース無線送受信機付きＰＨＳ端末情報を問い合わせる。ＰＨＳ端末情報とは、例えばそのプリンタに接続されたブルートゥース無線送受信機が現在通信可能なＰＨＳ端末の電話番号の一覧等が該当する（図４参照）。一方、問い合わせを受けたプリンタはクライアントＰＣ１−２に対して、現在の通信可能エリアに存在するブルートゥース無線送受信機付きＰＨＳ端末情報（図４参照）を有線ネットワーク（１−８、１−１５および１−１）を介して返答する。受信ユーザ位置プリンタレベル検索部２−７は各プリンタから戻ってきた返答の中で受信ユーザ情報と一致するＰＨＳ端末番号を検索する。受信ユーザ位置プリンタレベル検索部２−７は、検索の結果、一致するＰＨＳ端末番号が存在すればそのＰＨＳ端末情報を返答したプリンタの近くに受信ユーザが存在すると判断し、そのプリンタを検索結果とする。例えば、受信ユーザの所持するＰＨＳ端末の番号が０７０−５３３３−４４４４の場合は、図４においてはブルートゥースレベルの位置検出結果はＰＲＩＮＴＥＲ１ということになり、つまり、受信ユーザはＰＲＩＮＴＥＲ１の近くに存在するということになる。
ブルートゥースレベルの位置検出結果を利用することにより、より狭い範囲での受信ユーザの位置検出が可能となる。
【００１０】
次に、クライアントＰＣ１−２は、ブルートゥースレベルの位置検出結果を利用して、使用プリンタ判定部２−８において文書データを有線ネットワーク経由で出力するプリンタを決める。仮に受信ユーザ位置プリンタレベル検索部２−７の検索結果、１つのプリンタのみが検出された場合はそのプリンタを使用プリンタとして決定し、複数ある場合は受信ユーザに対して使用するプリンタの選択を促すようにする。この方法に関しては次のステップにおける説明にて述べる。
次にクライアントＰＣ１−２は受信ユーザに対して、印刷データがあることをＰＨＳ端末を通じて通知し（印刷データ通知ステップ５−４）、文書印刷を希望するか否かを問い合わせる（印刷問合わせステップ５−４Ａ）。この方法としては、クライアントＰＣ１−２における印刷命令実行部２−９が、文書印刷を希望するか否かを問い合わせるメッセ−ジを、インターネットおよびＰＨＳ網を介して電子メイルで受信ユーザが所有する携帯情報端末１−１４に送信する（印刷問合わせステップ５−４Ａ）。メッセ−ジは例えば、「あなた宛の文書があります。ＰＲＩＮＴＥＲ１から印刷を希望しますか？」等が該当する。また、受信ユーザ位置プリンタレベル検索部２−７の検索結果、複数のプリンタが検出された場合のメッセ−ジは例えば、「あなた宛の文書があります。印刷を希望しますか？印刷を希望する場合は以下のプリンタの中から使用するプリンタを選択してください。１．ＰＲＩＮＴＥＲ１、２．ＰＲＩＮＴＥＲ２、３．ＰＲＩＮＴＥＲ４」等が該当する。
これに対して受信ユーザは印刷希望の有無、および受信ユーザ位置プリンタレベル検索部２−７の検索結果、複数台のプリンタが存在する場合は、使用するプリンタをインターネットおよびＰＨＳ網を介して返答する。クライアントＰＣ１−２側では受信ユーザの返答に応じて印刷処理を開始する（印刷処理開始ステップ５−５）。また受信ユーザが印刷を希望しない場合、送信ユーザに対し印刷中止の旨の通知ステップ５−４Ｂから印刷中止ステップ５−９に伝達する。
次にクライアントＰＣ１−２は印刷処理終了後のステータスを送信ユーザにユーザインターフェイス２−１を介して通知する。通知するメッセ−ジとしては例えば、受信ユーザがＰＲＩＮＴＥＲ１に文書印刷を希望した場合は、「０７０−５３３３−４４４４を所有しているユーザは、ＰＲＩＮＴＥＲ１に出力しました。」（印刷終了を送信ユーザへ通知するステップ５−６）となり、あるいは、受信ユーザが文書印刷を希望しなかった場合は、「０７０−５３３３−４４４４を所有しているユーザは、文書受信を拒否しました。印刷は中止しました。」（印刷中止を送信ユーザに通知するステップ５−７）等が該当する。また印刷処理時にプリンタにエラーが発生した場合は、エラー発生検知ステップ５−５Ｂから検知エラー発生情報が、送信ユーザおよび受信ユーザに通知するステップ５−８に伝達され、印刷中止ステップ５−９に伝達される。この印刷中止ステップ５−９からの情報に基づきクライアントＰＣ１−２は印刷を中止する旨を送信ユーザへ通知する（印刷中止を送信ユーザへ通知するステップ５−７）。
上記実施形態では、ＰＨＳによる位置検出サービスと、ブルートゥース無線送受信機の両者を併用したが、いずれか一方だけを用いてもよい。
尚、本発明は、図示し説明した実施の形態例にのみ限定されることなく、本発明の要旨を逸脱しない範囲内で種々の変更を加え得ることは勿論である。
【００１１】
【発明の効果】
以上説明したように、請求項１に記載の発明によれば、あるユーザが他のユーザに文書を送信したい場合、文書を受信する受信ユーザが外出中で、現在の正確な所在地がわからなくても、受信ユーザの現在の所在地を正確に検出し、受信ユーザに最も近い場所にあるプリンタを用いて文書を印刷し、その旨を携帯電話を介して受信ユーザに通知することにより効率的にかつ確実に受信ユーザに文書を送信することができる。
請求項２に記載の発明によれば、受信ユーザの位置検出を実現する携帯電話網としてＰＨＳ網を利用することにより、システム構築が容易となり、かつ高い信頼性を保てる。
請求項３に記載の発明によれば、受信ユーザの位置検出にブルートゥース無線送受信機を用いることにより、より小さな範囲での受信ユーザの位置検出が可能となり、かつシステム構築が容易となり、しかも高い信頼性を保てる。
請求項４に記載の発明によれば、受信ユーザの位置検出手段として、通信可能エリアの広いＰＨＳの位置検出サービスおよび通信可能エリアの狭いブルートゥース無線送受信機の両者を併用することにより、効率的かつ正確な受信ユーザの位置検出が可能である。
請求項５に記載の発明によれば、受信ユーザに対して事前に印刷するか否かを問い合わせることにより、柔軟性の高い、かつ効率的な印刷システムを実現している。
請求項６に記載の発明によれば、送信ユーザに対して印刷処理終了後の状態を通知することにより、信頼性の高い印刷システムを実現している。
請求項７に記載の発明によれば、受信ユーザが最適なプリンタを選択することができるようにしたことにより、信頼性の高い印刷システムを実現している。
【図面の簡単な説明】
【図１】本発明のネットワーク印刷システムの全体構成を示す説明図。
【図２】図１に示すクライアントＰＣにおけるシステムブロック図。
【図３】ＰＨＳ基地局対応テーブルにおける事業所と基地局との関連を示す説明図。
【図４】ＰＨＳ端末情報例を示す説明図で、（Ａ）はネットワークプリンタにおけるプリンタ１とそのＰＨＳ端末情報を示す説明図、（Ｂ）はネットワークプリンタにおけるプリンタ２とそのＰＨＳ端末情報を示す説明図。
【図５】
本発明のネットワーク印刷システムを使用してあるユーザが他のユーザに対して文書を送信するプロセスを示すフローチャート。
【符号の説明】
１−１　　有線ネットワーク
１−２　　クライアントＰＣ
１−３　　インターネット
１−４　　携帯電話網の基地局
１−５　　携帯電話網の位置検出システム
１−６　　携帯電話網の基地局
１−７　　通信可能エリア
１−８　　有線ネットワーク
１−９　　ネットワークプリンタ
１−１０　無線送受信機
１−１１　通信可能エリア
１−１２　ネットワークプリンタ
１−１３　無線送受信機
１−１４　携帯情報端末
１−１５　有線ネットワーク
２−１　　ユーザインターフェース
２−２　　有線ネットワークインターフェース
２−３　　ＰＨＳ位置検出サービスインターフェース
２−４　　受信ユーザ情報記憶部
２−５　　受信ユーザ位置事業所レベル判定部
２−６　　ＰＨＳ基地局対応テーブル
２−７　　受信ユーザ位置プリンタレベル検索部
２−８　　使用プリンタ判定部
２−９　　印刷命令実行部
【図１】
2004021860.tif 000003
【図２】
2004021860.tif 000004
【図３】
2004021860.tif 000005
【図４】
2004021860.tif 000006
【図５】
2004021860.tif 000007